(57)【特許請求の範囲】
【請求項１】
断裁する用紙を載置するテーブルと、前記テーブルの後端に設置された断裁機本体と、前記断裁機本体の前記テーブル側の前面を覆う開閉自在のカバーと、前記カバーの開閉にともなって回動する回動軸と、前記回動軸に固定したカムと、前記カムの回動により揺動するレバーとを有し、前記レバーが前記断裁機本体の移動体に当接することにより前記カバーの開動作をロックするとともに、前記カバーの開時前記レバーにより前記断裁機本体の移動体の移動をロックしてなることを特徴とする断裁機。
【請求項２】
前記回動軸に断裁機本体の断裁開始を停止するマイクロスイッチを作動するカムを設けてなることを特徴とする請求項１記載の断裁機。
【発明の詳細な説明】
【０００１】
【発明の属する技術分野】
本発明は、用紙を断裁する断裁機、詳しくは断裁機の安全ロック機構に関するものである。
【０００２】
【従来の技術】
用紙を断裁する断裁機は、例えば図２（本発明の実施の形態に係る断裁機の側面図）に示すように断裁する用紙を載置するテーブル１とそのテーブル１の後端に断裁機本体２が設置されている。断裁機本体２のテーブル１側の前面には、断裁機本体２の作動時に手などの挿入を防止するためにカバー３が設けられている。用紙を断裁するときカバー３を開き、断裁する用紙をテーブル１上にセットし、カバー３を閉じて断裁機本体２を作動させる操作ボタンを押す。これにより断裁機本体２は断裁刃２ａを下降してテーブル１上にセットされた用紙を断裁し、断裁後断裁刃２ａを上昇してつぎの断裁を待つ。このような断裁機には、カバー３を開くと開いたことを検出して断裁機本体２を作動させる操作ボタンをロックする手段が設けられている。
【０００３】
【発明が解決しようとする課題】
しかし、操作ボタンを押した後では断裁機本体２は停止しない。また、カバー３は常に開閉自在である。したがって例えば不意に操作ボタンを押し、それを知らずにカバー３を開けて作業するというきわめて危険な場合が発生するという問題があった。
【０００４】
本発明は、このような問題に鑑みなされたもので、簡単な機構により危険な場合の発生を低減し、より安全性の高い断裁機を提供することを目的とする。
【０００６】
【課題を解決するための手段】
請求項１に係る本発明は、断裁する用紙を載置するテーブルと、前記テーブルの後端に設置された断裁機本体と、前記断裁機本体の前記テーブル側の前面を覆う開閉自在のカバーと、前記カバーの開閉にともなって回動する回動軸と、前記回動軸に固定したカムと、前記カムの回動により揺動するレバーとを有し、前記レバーが前記断裁機本体の移動体に当接することにより前記カバーの開動作をロックするとともに、前記カバーの開時前記レバーにより前記断裁機本体の移動体の移動をロックしてなることを特徴とする。
【０００７】
請求項２に係る本発明は、請求項１に係る本発明において、前記回動軸に断裁機本体の断裁開始を停止するマイクロスイッチを作動するカムを設けてなることを特徴とする。
【０００８】
【発明の実施の形態】
以下、本発明の実施の形態について図を参照して説明する。図１は実施の形態に係る断裁機のロック機構部の斜視図、図２は実施の形態に係る断裁機の側面図、図３は実施の形態に係る断裁機本体の斜視図、図４および図５は動作説明図である。図２において、１は断裁する用紙を載置するテーブル、２は断裁機本体、２ａは断裁刃、２ｂは保持板、２ｃは押さえ板、２ｄは断裁機本体フレーム、３はカバー、４はカバー支持フレーム、５はレバー、６は支点軸、７は回動軸、８はカム、９はカムローラである。
【０００９】
断裁機本体２はテーブル１の後端に設置されている。カバー支持フレーム４はテーブル１の上面の両側の端部にそれぞれ対峙して固定されている。回動軸７はボルトなどによりカバーに固着され、カバー３を固着した回動軸７は両側のカバー支持フレーム４の断裁機本体２寄りの上部位置に回動自在に支持されている。したがってカバー３は回動軸７を支点として回動でき、下方に回動することにより断裁機本体２のテーブル１側の前面を覆い、上方に回動することによりテーブル１上の作業が可能になる。すなわちカバー３は断裁機本体２のテーブル１側の前面を開閉する。
【００１０】
カム８はカバー支持フレーム４から外側に突出する回動軸７に固着され、回動軸７の回動すなわちカバー３の開閉とともに回動する。支点軸６はカバー支持フレーム４の外側で支持され、レバー５の一端がこの支点軸６に支持され、レバー５の他端は断裁機本体２側へ突出している。レバー５にはカム８に当接するカムローラ９が取り付けられ、図示しないバネによりレバー５を附勢してカムローラ９をカム８に押し付けている。カムローラ９がカム８の山部に当接するとレバー５を回動してレバー５の断裁機本体２側へ突出している端部を下降し、より断裁機本体２側へ突出する。また、カムローラ９がカム８の谷部に当接するとレバー５を回動してレバー５の断裁機本体２側へ突出している端部はもとへ戻る。
【００１１】
断裁機本体２は図３に示すように構成されている。すなわち、断裁機本体２は両側の端部のそれぞれに斜め下方に向かって伸びるガイド長穴２ｅを有するフレーム２ｄと、このフレーム２ｄに用紙を裁断する断裁刃２ａを駆動する駆動機構２ｆが装着されている。断裁刃２ａは保持板２ｂと押さえ板２ｃで挾んでボルトなどを挿通して保持板２ｂに固定保持されている。保持板２ｂには摺動突起が形成され、この摺動突起がフレーム２ｄのガイド長穴２ｅと摺動自在に嵌合している。駆動機構２ｆは図示しないモータにより回転駆動する動力カム２ｇと一端を動力カム２ｇに回転自在に連結したクランク２ｈとからなり、クランク２ｈの他端は保持板２ｂの端部に回転自在に連結している。
【００１２】
動力カム２ｇが回転駆動すると、クランク２ｈが昇降し、このクランク２ｈに連結された保持板２ｂはガイド長穴２ｅにしたがって斜め上下方向に昇降する。断裁刃２ａの真下には、下降した断裁刃２ａの刃先を食い込ませる裁断スティック２ｊが設けられている。用紙を裁断するとき、保持板２ｂを上昇位置に置き、テーブル１上に用紙の裁断位置を裁断スティック２ｊに位置させて置く。そして、動力カム２ｇを回転駆動し、保持板２ｂを下降してその用紙を裁断する。動力カム２ｇはそのまま回転を続け保持板２ｂを上昇位置に置いて停止する。
【００１３】
用紙を裁断するときでカバー３が閉められているとき、図１および図４に示すように、カムローラ９がカム８の谷部に当接し、レバー５の断裁機本体２側へ突出している端部はもとの位置、すなわち保持板２ｂの近傍位置に位置し、カバー３を開けようとしても、レバー５の端部が保持板２ｂに当接しカム８を回動することができず、これによりカバー３は閉めた状態にロックされる。この状態は保持板２ｂが作動してもとの上昇位置に復帰するまで続く。
【００１４】
保持板２ｂがもとの上昇位置に復帰すると、レバー５の端部の保持板２ｂへの当接は解除され、カバー３を開くことができる。このときカバー３を開くとカム８を回動し、カムローラ９がカム８の山部に当接し、レバー５の端部は図５に示すように、保持板２ｂの長手方向の端面外側に突出し、保持板２ｂを作動しても保持板２ｂの長手方向の端面がレバー５の端部に当接し、保持板２ｂは作動することができず、保持板２ｂの作動はロックされる。
【００１５】
すなわち、保持板２ｂは斜め上下方向に昇降移動するので、レバー５の端部を保持板２ｂが上昇位置に復帰しているときの保持板２ｂの長手方向の端面から外れる近傍に配置する。この配置により保持板２ｂが移動すればレバー５の先端は保持板２ｂに当接し、これによりカバー３の開はロックされ、保持板２ｂが斜め上方に移動し終えたときはカバー３の開によりレバー５の端部は突出して、その端部に保持板２ｂの端面が当接して保持板２ｂの移動がロックされる。また、レバー５を附勢しているバネが故障してもレバー５は下方に回動し、同様のロックを確保することができる。
【００１６】
ところで、図２では省略しているが、図１に示すようにカム８に並べてマイクロスイッチカム１１が回動軸７に固着され、このカム１１にマイクロスイッチ１０を作動する作動子１０ａがマイクロスイッチカム１１の山部に当接するように設置されている。すなわち、カバー３を閉めている状態では作動子１０ａはマイクロスイッチカム１１から外れ、マイクロスイッチ１０をオン作動し、例えば断裁機本体２を駆動する操作ボタンのロックを解除する。また、カバー３を開けている状態では作動子１０ａはマイクロスイッチカム１１の山部に当接してマイクロスイッチ１０をオフ作動し、断裁機本体２を駆動する操作ボタンをロックする。
【００１７】
なお、カム８をギアに替え、そのギアと噛合するギアをレバーに設け、レバーを直線、あるいは回動移動するようにしても良い。また、以上の実施の形態ではレバー５の端部を断裁機本体２の移動体である保持板２ｂに当接するようにしているが、移動体として保持板２ｂに限らず、例えばクランク２ｈとすることも可能である。
【００１８】
【発明の効果】
以上、詳述したように発明によれば、断裁機本体のテーブル側の前面を覆うカバーの開閉と、断裁機本体の断裁作動の両者を関連付けしてロックするので、安全性の高い断裁機を提供することができる。また、そのロックはカムとレバーとの組み合わせにより行なうと、簡単かつ簡素な構成で機械的ロック機構を得ることができる。
【図面の簡単な説明】
【図１】本発明の実施の形態に係る断裁機のロック機構部の斜視図である。
【図２】本発明の実施の形態に係る断裁機の側面図である。
【図３】本発明の実施の形態に係る断裁機本体の斜視図である。
【図４】本発明の実施の形態に係る断裁機のロック機構部の動作説明図である。
【図５】本発明の実施の形態に係る断裁機のロック機構部の動作説明図である。
【符号の説明】
１    テーブル
２    断裁機本体
２ａ  断裁刃
２ｂ  保持板
２ｃ  押さえ板
２ｄ  断裁機本体フレーム
２ｅ  ガイド長穴
２ｆ  駆動機構
２ｇ  動力カム
２ｈ  クランク
３    カバー
４    カバー支持フレーム
５    レバー
６    支点軸
７    回動軸
８    カム
９    カムローラ
１０    マイクロスイッチ
１０ａ  作動子
１１    マイクロスイッチカム
【図１】
0004159787.tif 000002
【図２】
0004159787.tif 000003
【図３】
0004159787.tif 000004
【図４】
0004159787.tif 000005
【図５】
0004159787.tif 000006